(57)【要約】【課題】  棚板の棚ダボに対する拘束力を強くして落下やずれを防止する。棚板の上面を収納スペースとして有効利用する。部品点数を少なくして低コスト化を図る。【解決手段】  棚板４の後端部４ａ側の下面に、第１垂下片５ａと、第１垂下片５ａの下端から後方Ａに突出して奥側の棚ダボ２の下側に配置される第１外れ防止突片５ｂと、後方Ａに開口した第１棚ダボ差込口５ｃとを備えた棚ダボ差込部５を突設する。棚板４の前端部４ｂ側の下面に、第２垂下片６ａと、第２垂下片６ａの下端から後方Ａに突出して前側の棚ダボ３の下側に配置される第２外れ防止突片６ｂと、前側の棚ダボ３の背後に配置されるずれ防止突起６ｄと、第２外れ防止突片６ｂとずれ防止突起６ｄとの間から斜め後方下方Ｂに開口した棚ダボ差込口６ｃとを備えた棚ダボ受け部６を突設する。【選択図】        図１
2006223555.tif 000002
【特許請求の範囲】
【請求項１】
キャビネットの前側及び奥側に設けた左右の棚ダボに載置される棚板の構造において、棚板の後端部側の下面に、下方に突出した第１垂下片と、上記第１垂下片の下端から後方に突出して奥側の棚ダボの下側に配置される第１外れ防止突片とからなる棚ダボ差込部が突設され、棚板の前端部側の下面に、下方に突出した第２垂下片と、上記第２垂下片の下端から後方に突出して前側の棚ダボの下側に配置される第２外れ防止突片と、上記第２垂下片よりも後方の棚板下面から下方に突出して前側の棚ダボの背後に配置されるずれ防止突起と、上記第２外れ防止突片とずれ防止突起との間から斜め後方下方に開口した棚ダボ差込口とを備えた棚ダボ受け部が突設されていることを特徴とする棚板の構造。
【請求項２】
前記棚板が、キャビネットに固定される固定棚の上面に被せられると共に、固定棚の上面近傍の前側及び奥側に設けられた棚ダボが棚板の棚ダボ差込部及び棚ダボ受け部にそれぞれ着脱可能に差し込まれ、前記棚板の前端部から下方に向けて固定棚を隠すための隠し片が垂設されていると共に前記棚板の後端部から上方向に向けてキャビネットの背板に当接可能な凸リブが立設されていることを特徴とする請求項１記載の棚板の構造。
【発明の詳細な説明】
【技術分野】
【０００１】
本発明は、キャビネットに設けた棚ダボに載置される棚板の構造に関するものである。
【背景技術】
【０００２】
従来、棚板をキャビネットに取り付けるにあたって、図９に示すように、キャビネット１の側板に固定した棚ダボ２，３に棚板４’を載置するようにしている。
【０００３】
しかし、このような構成では、棚ダボ２，３と棚板４’とは引っ掛かりがないため、棚板４’に対して様々な外力が加わった場合、例えば地震などによって下方向からの突き上げ力が加わった場合には、棚板４’が上方向Ｄに跳ね上がって回転したり、前方向Ｃにずれたりして容易に外れて落下することがある。
【０００４】
他の従来例として、棚板の下面に設けた下方に開口する凹部に棚ダボを挿入することが知られている（例えば、特許文献１参照）。
【０００５】
しかし上記特許文献１に示される従来例では、棚ダボと棚板とは上下方向に引っ掛かりがなく、やはり、棚ダボに対する拘束力が弱いため、棚板に対して様々な外力が加わった場合に容易に外れて落下することがある。
【特許文献１】実開平５−４１４４０号公報
【発明の開示】
【発明が解決しようとする課題】
【０００６】
本発明は上記の従来の問題点に鑑みて発明したものであって、誰でも簡単に棚ダボに対する取り付け、取り外しができるものでありながら、棚板の棚ダボに対する拘束力を強くでき、こにより棚板に対して様々な外力が加わった場合に、棚板が棚ダボから外れて落下してしまうのを防止でき、さらに、棚板の上面全体を収納スペースとして有効利用できると共に部品点数が少なくて済み、低コスト化を図ることができる棚板の構造を提供することを課題とするものである。
【課題を解決するための手段】
【０００７】
前記課題を解決するために本発明にあっては、キャビネット１の前側及び奥側に設けた左右の棚ダボ２，３に載置される棚板の構造において、棚板４の後端部４ａ側の下面に、下方に突出した第１垂下片５ａと、上記第１垂下片５ａの下端から後方Ａに突出して奥側の棚ダボ２の下側に配置される第１外れ防止突片５ｂとからなる棚ダボ差込部５が突設され、棚板４の前端部４ｂ側の下面に、下方に突出した第２垂下片６ａと、上記第２垂下片６ａの下端から後方Ａに突出して前側の棚ダボ３の下側に配置される第２外れ防止突片６ｂと、上記第２垂下片６ａよりも後方Ａの棚板４下面から下方に突出して前側の棚ダボ３の背後に配置されるずれ防止突起６ｄと、上記第２外れ防止突片６ｂとずれ防止突起６ｄとの間から斜め後方下方Ｂに開口した棚ダボ差込口６ｃとを備えた棚ダボ受け部６が突設されていることを特徴としている。
【０００８】
このような構成とすることで、棚板４の取り付け時には、棚板４の後端部４ａ側が前端部４ｂ側よりも下になるような斜め姿勢で、棚ダボ差込部５の第１外れ防止突片５ｂ上に奥側の棚ダボ２を差し込み、さらに棚ダボ受け部６の斜め後方下方Ｂに開口した棚ダボ差込口６ｃから前側の棚ダボ３を差し込むことができ、その後、棚板４の前端部４ｂ側を下に降ろして水平姿勢にすれば、前後の棚ダボ２，３が棚ダボ差込部５と棚ダボ受け部６とに引っ掛けられた状態となり、誰でも簡単に棚ダボ２，３に対する取り付け、取り外しができる。また棚板４の取り付け状態では、棚ダボ差込部５の第１外れ防止突片５ｂが奥側の棚ダボ２の引っ掛りとなり、棚ダボ受け部６の第２外れ防止突片６ｂが前側の棚ダボ３の引っ掛かりとなる。従って、棚板４に対して様々な外力が加わった場合、例えば地震などによって棚板４に下方向からの突き上げ力、或いは棚板４を前下方向へ引っ張って棚板４を回転させる力などが加わった場合でも、棚板４が上方向Ｄに跳ね上がったり回転したりすることがない。さらに、前側の棚ダボ３の背後にずれ防止突起６ｄが配置されるので、棚板４に前方向Ｃにずれる力が加わった場合でも、棚板４が前方向Ｃにずれるのを防止できる。これにより、棚板４が棚ダボ２，３から外れて落下するのを確実に防止できるようになる。
【０００９】
また、前記棚板４は、キャビネット１に固定される固定棚１０の上面に被せられると共に、固定棚１０の上面近傍の前側及び奥側に設けられた棚ダボ２，３が棚板４の棚ダボ差込部５及び棚ダボ受け部６にそれぞれ着脱可能に差し込まれ、前記棚板４の前端部４ｂから下方に向けて固定棚１０を隠すための隠し片１１が垂設されていると共に前記棚板４の後端部４ａから上方向Ｄに向けてキャビネット１の背板１４に当接可能な凸リブ１２が立設されているのが好ましく、この場合、棚板４を固定棚１０に被せることで、固定棚１０を棚板４として使用可能となり、また棚板４を固定棚１０の上面近傍の棚ダボ２，３に取り付けることで、棚板４は固定棚１０と一体化されると共に、棚板４に対して様々な外力が加わった場合でも棚板４が外れて落下するのを防止できるようになる。しかも、棚板４は固定棚１０に対して着脱自在となるので、棚板４と固定棚１０との使い分けが容易となる。また棚板４の取り付け状態では、棚板４の前端部４ｂから垂下する隠し片１１によって固定棚１０を覆い隠すことができるので、棚板４と固定棚１０とが一体化した外観を呈するので、見栄えが良好となり、さらに棚板４の後端部４ａから立設する凸リブ１２をキャビネット１の背板１４に当接させることで、地震時に凸リブ１２が背板に当たって棚板４の回転を阻止するので、棚ダボ差込部５及び棚ダボ受け部６による外れ防止効果とあいまって、棚板４の回転防止に一層効果的となると共に、棚板４上に濡れた物が置かれた場合でも、棚板４の後端部４ａと背板との隙間に水が流れ込むのを凸リブ１２にて防止できるようになる。
【発明の効果】
【００１０】
本発明にかかる棚板は、誰でも簡単に棚ダボに対する取り付け、取り外しができ、しかも棚板に設けた棚ダボ差込部及び棚ダボ受け部によって棚ダボに対する拘束力を強くでき、従って、棚板に対して様々な外力が加わった場合に、上方向への跳ね上がり防止や回転防止、さらに前方向へのずれ止めが確実となり、地震等の振動に対して簡単に落下する心配がなく、結果、棚板が棚ダボから外れて容易に落下してしまうのを防止でき、棚板の使用の安全性を高めることができる。そのうえ、棚板の上面に、例えば跳ね上りや回転、ずれ等を止めるための専用の部品や部材を別途設ける必要がなくなるため、棚板の上面全体を収納スペースとして有効利用できると共に、部品点数が少なくて済み、低コスト化を図ることができるものである。
【発明を実施するための最良の形態】
【００１１】
以下、本発明を添付図面に示す実施形態に基いて説明する。
【００１２】
ミラーキャビネット１の側板の前側及び奥側には、図２に示すように、上下複数組の棚ダボ２，３が設けられている。各組の棚ダボ２，３は左右の側板にそれぞれ設けられている。
【００１３】
棚板４は、図１に示すように、後端部４ａ側の下面に棚ダボ差込部５が突設され、前端部４ｂ側の下面に棚ダボ受け部６が突設されている。なお図２（ａ）は棚板４の平面図、図２（ｂ）は棚板４の正面図である。
【００１４】
ここで、棚板４の棚ダボ差込部５は、棚板４下面から下方に突出した第１垂下片５ａと、第１垂下片５ａの下端から後方Ａに突出して奥側の棚ダボ２の下側に配置される第１外れ防止突片５ｂとからなり、後方Ａに開口した第１棚ダボ差込口５ｃを有している。この第１棚ダボ差込口５ｃは棚ダボ２，３の外径寸法より若干大きく設定されている。
【００１５】
また、棚板４の棚ダボ受け部６は、棚板４下面から下方に突出した第２垂下片６ａと、上記第２垂下片６ａの下端から後方Ａに突出して前側の棚ダボ３の下側に配置される第２外れ防止突片６ｂと、上記第２垂下片６ａよりも後方Ａの棚板４下面から下方に突出して前側の棚ダボ３の背後に配置されるずれ防止突起６ｄとからなり、上記第２外れ防止突片６ｂとずれ防止突起６ｄとの間に斜め後方下方Ｂ（図５）に開口した第２棚ダボ差込口６ｃが設けられている。この第２棚ダボ差込口６ｃは棚ダボ２，３の外径寸法より若干大きく設定されている。
【００１６】
また本例の棚板４の前端部に第２外れ防止突片６ｂよりも下方に突出するように、後述の隠し片１１が垂設されている。さらに、棚板４の後端部４ａからは上方向Ｄに向けてキャビネット１の背板１４に当接可能な凸リブ１２が立設されており、一方、棚板４の前端部４ｂからは上方向Ｄに突出した立ち上がり片１３が立設されている。この立ち上がり片１３の高さは凸リブ１２よりも高く設定され、前側からの収納物の落下防止等の働きをする。
【００１７】
なお棚板４及び棚ダボ２，３の材質は特に問わず、金属製、合成樹脂製、木製のいずれでもよい。
【００１８】
次に、棚板４を取り付けるにあたっては、図４に示すように、棚板４を後端部４ａ側が前端部４ｂ側よりも下になるような斜め姿勢にして、棚ダボ差込部５の後方Ａに開口した第１棚ダボ差込口５ｃから奥側の棚ダボ２を差し込み、さらに、棚ダボ受け部６の斜め後方下方Ｂに開口した第２棚ダボ差込口６ｃから前側の棚ダボ３を差し込む。その後、棚板４の前端部４ｂ側を下に降ろして図５に示す水平姿勢にすることで、前後の棚ダボ２，３が棚ダボ差込部５と棚ダボ受け部６とにそれぞれ引っ掛けられた状態となり、取り付け作業が完了する。なお、棚板４を取り外すときは、前記動作と逆の動座で外すことができる。
【００１９】
しかして、図５のように、棚板４の後側の棚ダボ差込部５に奥側の棚ダボ２を差し込み、棚板４の前側の棚ダボ受け部６に前側の棚ダボ３を受けた状態では、図６（ａ）のように、後側の棚ダボ差込部５の第１外れ防止突片５ｂが奥側の棚ダボ２の引っ掛りとなり、図６（ｂ）のように、前側の棚ダボ受け部６の第２外れ防止突片６ｂが前側の棚ダボ３の引っ掛かりとなる。従って、棚板４に対して様々な外力が加わった場合、例えば地震などによって棚板４に下方向からの突き上げ力、或いは棚板４を前下方向へ引っ張って棚板４を前に回転させる力などが加わった場合でも、棚板４が上方向Ｄに跳ね上がったり回転したりすることがない。つまり人が恋に斜め後方下方に外そうとする外力を加えないかぎり、棚板４は外れるおそれがない。さらに、図６（ｃ）のように、前側の棚ダボ３のすぐ背後にずれ防止突起６ｄが位置しているので、棚板４に前方向Ｃにずれる力が加わった場合でも、棚板４が前方向Ｃにずれるのを防止できる。なお、棚板４の後端部４ａ側へのずれは背板にて防止できる。この結果、誰でも簡単に棚板４の取り付け、取り外しができるものでありながら、棚板４の上方向Ｄへの跳ね上がり防止や回転防止、さらに前方向Ｃへのずれ止めが確実となり、地震等の振動に対して簡単に落下する心配がなく、安全性の高い棚板４を得ることができる。
【００２０】
しかも、棚板４の上面に、跳ね上りや回転、ずれ等を止めるための専用の部品や部材を別途設ける必要がないため、棚板４の上面全体を収納スペースとして有効利用できるようになると共に、部品点数が少なくて済み、低コスト化を図ることができる利点もある。
【００２１】
また本例では、棚板４の後端部４ａから立設する凸リブ１２が、棚板４の外れ止め機能と水処理機能とを有する。つまり、凸リブ１２をキャビネット１の背板１４に当接させることで、地震時に凸リブ１２が背板に当たって棚板４の回転を阻止するので、棚ダボ差込部５及び棚ダボ受け部６による外れ防止効果とあいまって、棚板４の回転防止に一層効果的となる。そのうえ、棚板４上に濡れた物が置かれた場合でも、棚板４の後端部４ａと背板との隙間に水が流れ込むのを凸リブ１２にて防止できるようになる。さらに、棚板４の前端部４ｂから上方向Ｄに突出した立ち上がり片１３が立設されているので、棚板４の前端部４ｂから収納物の落下や水の流れ落ちを立ち上がり片１３により防止できる利点もある。
【００２２】
図７及び図８は本発明の他の実施形態であり、前記実施形態の棚板４（以下「着脱棚板４」という）とは別に、キャビネット１に固定される固定棚１０を備えた場合の一例を示している。本例では固定棚１０の上面は平坦面となっている。また固定棚１０の上面近傍の前側及び奥側には、着脱棚板４を取り付けるための棚ダボ２，３がそれぞれ設けられている。図７の例では、上下２段の固定棚１０に着脱棚板４を取り付ける場合を示しているが、勿論、図７の例に限定されるものではない。また本例の着脱棚板４は、キャビネット１に固定される固定棚１０の上面に被せられると共に、固定棚１０の上面近傍の前側及び奥側に設けられた棚ダボ２，３が着脱棚板４の棚ダボ差込部５及び棚ダボ受け部６にそれぞれ着脱可能に差し込まれるようになっている。なお、着脱棚板４の棚ダボ差込部５及び棚ダボ受け部６の構造等は前記図１〜図６の実施形態と同様であり、対応する部位には同一符号を付して詳しい説明は省略する。
【００２３】
しかして、着脱棚板４を固定棚１０に被せた状態で取り付けるにあたっては、前記図４と同じ方法で、着脱棚板４を後端部４ａ側が前端部４ｂ側よりも下になるような斜め姿勢にして、前後の棚ダボ２，３を棚ダボ差込部５と棚ダボ受け部６とにそれぞれ引っ掛けた状態で取り付けることができる。なお、着脱棚板４を取り外すときは、前記動作と逆の動座で外すことができる。これにより、図７に示すように、着脱棚板４を固定棚１０に被せることができ、固定棚１０を着脱棚板４として使用できるようになる。このとき、図８に示すように、棚ダボ受け部６の第２外れ防止突片６ｂと隠し片１１とが固定棚１０の前端部側の上面コーナー部にて支持されるようになり、着脱棚板４の前端部４ｂ側をそのまま固定棚１０の上に安定良く設置できるようになる。つまり、着脱棚板４は棚ダボ２，３に引っ掛けられると同時に固定棚１０でも支持される形となり、結果、着脱棚板４の上の荷物荷重が固定棚１０によって十分に受け止められる構造となり、安定した着脱棚板４の取り付け状態を確保できるものである。
【００２４】
しかも固定棚１０の上面近傍に設けた棚ダボ２，３に着脱棚板４を取り付けることで、誰でも簡単に着脱棚板４の取り付け、取り外しができるものでありながら、着脱棚板４の上方向Ｄへの跳ね上がり防止や回転防止、さらに前方向Ｃへのずれ止めが確実となり、地震等の振動に対して簡単に落下するのを防止できるようになる。しかも、着脱棚板４を棚ダボ２，３から簡単に取り外せるので、着脱棚板４と固定棚１０との使い分けが容易となる。また着脱棚板４の取り付け状態では、着脱棚板４の前端部４ｂから垂下する隠し片１１によって固定棚１０を覆い隠すことができるので、着脱棚板４と固定棚１０とが一体化した外観を呈するようになり、見栄えが良好になる利点もある。
【００２５】
前記実施形態ではミラーキャビネット用の棚板４を例示したが、必ずしもこれに限らず、本発明の棚板４は、地震対策用の書棚等の家具全般にも広く適用可能である。
【図面の簡単な説明】
【００２６】
【図１】本発明の一実施形態の棚板の側面断面図である。
【図２】同上の棚板が取り付けられるキャビネットの側面断面図である。
【図３】（ａ）は同上の棚板の平面図、（ｂ）は正面図である。
【図４】同上の棚板を棚ダボに取り付ける途中の動作説明図である。
【図５】同上の棚板を棚ダボに取り付けた後の説明図である。
【図６】（ａ）は地震時に奥側の棚ダボに棚ダボ差込部が引っ掛る状態の説明図、（ｂ）は地震時に前側の棚ダボに棚ダボ受け部が引っ掛る状態の説明図、（ｃ）はずれ防止突起により棚板の前方へのずれを防止する状態の説明図である。
【図７】本発明の他の実施形態の説明図である。
【図８】図７の着脱棚板の前端部を固定棚で支持する状態の説明図である。
【図９】従来例の説明図である。
【符号の説明】
【００２７】
１  キャビネット
２  奥側の棚ダボ
３  前側の棚ダボ
４  棚板
４ａ  後端部
４ｂ  前端部
５  棚ダボ差込部
５ａ  第１垂下片
５ｂ  第１外れ防止突片
５ｃ  第１棚ダボ差込口
６  棚ダボ受け部
６ａ  第２垂下片
６ｂ  第２外れ防止突片
６ｃ  第２棚ダボ差込口
６ｄ  ずれ防止突起
１０  固定棚
１１  隠し片
１２  凸リブ
１４  背板
Ａ  後方
Ｂ  斜め後方下方
Ｃ  前方向
Ｄ  上方向
【図１】
2006223555.tif 000003
【図２】
2006223555.tif 000004
【図３】
2006223555.tif 000005
【図４】
2006223555.tif 000006
【図５】
2006223555.tif 000007
【図６】
2006223555.tif 000008
【図７】
2006223555.tif 000009
【図８】
2006223555.tif 000010
【図９】
2006223555.tif 000011